(57)【要約】【課題】適切な溶着が得られやすい溶着構造体及びニュートラルスタートスイッチを提供する。【解決手段】スイッチ機構を収容する収容部５及び収容部５と外部とを繋ぐ呼吸孔１３を有するハウジング２と、呼吸孔１３を覆うＧＴフィルム３０とを有し、これら両者が溶着されることにより、呼吸孔１３が塞がれるニュートラルスタートスイッチにおいて、ハウジング２は、呼吸孔１３を囲むシボ加工面１４を有し、ＧＴフィルム３０は、シボ加工面１４においてハウジング２と溶着される。【選択図】図３
2016203509.tif 000002
【特許請求の範囲】
【請求項１】
孔部を有する構造体と、前記孔部を覆う多孔質シート部材とを有し、これら前記構造体と前記多孔質シート部材とが溶着されることにより、前記孔部が塞がれる溶着構造体において、
前記構造体は、前記孔部の周囲を囲むシボ加工面を有し、
前記多孔質シート部材は、前記シボ加工面において前記構造体と溶着される溶着構造体。
【請求項２】
請求項１に記載の溶着構造体において、
前記シボ加工面は、前記多孔質シート部材と溶着される溶着実施面と、前記溶着実施面の内側に連続する非溶着面とを有する溶着構造体。
【請求項３】
セレクトレバーの操作に連動して接点が切り替わるスイッチ機構を収容する収容部及び当該収容部と外部とを繋ぐ呼吸孔を有するハウジングと、前記呼吸孔を覆う多孔質シート部材とを有し、これら前記ハウジングと前記多孔質シート部材とが溶着されることにより、前記呼吸孔が塞がれるニュートラルスタートスイッチにおいて、
前記ハウジングは、前記呼吸孔を囲むシボ加工面を有し、
前記多孔質シート部材は、前記シボ加工面において前記ハウジングと溶着されるニュートラルスタートスイッチ。
【発明の詳細な説明】
【技術分野】
【０００１】
本発明は、溶着構造体及びニュートラルスタートスイッチに関する。
【背景技術】
【０００２】
例えばニュートラルスタートスイッチ等のように、樹脂性の構造体を有する構造体において、内外を連通する呼吸孔を塞ぐように気体のみを通し液体・粉塵等は透過させない性質を有する多孔質シート部材を配置し、溶着治具によって加圧及び加熱することによって多孔質シート部材を構造体に溶着させる技術が周知である。
【０００３】
特許文献１には、多孔質シート部材を溶着させる面に環状のリブを複数個突設させた溶着構造が開示されている。溶着治具から多孔質シート部材を介して構造体に供給される圧力及び熱量がリブに集中するので、従来よりも低圧及び低温での溶着が可能となり、多孔質シート部材への熱による影響が抑制される。
【先行技術文献】
【特許文献】
【０００４】
【特許文献１】特開２００１−１４０４号公報
【発明の概要】
【発明が解決しようとする課題】
【０００５】
特許文献１の溶着構造体では、溶着治具とリブの先端部で構成される面との均一な接触が得られない場合、リブの溶け具合に差が生じる。すなわち、溶着治具に対して構造体を精度よく設置しなければ溶着にムラが生じる。このため、呼吸孔が多孔質シート部材によって塞がれないおそれがある。
【０００６】
本発明は、こうした実状に鑑みてなされたものであり、その目的は、適切な溶着が得られやすい溶着構造体及びニュートラルスタートスイッチを提供することにある。
【課題を解決するための手段】
【０００７】
上記課題を解決するために、孔部を有する構造体と、前記孔部を覆う多孔質シート部材とを有し、これら前記構造体と前記多孔質シート部材とが溶着されることにより、前記孔部が塞がれる溶着構造体において、前記構造体は、前記孔部の周囲を囲むシボ加工面を有し、前記多孔質シート部材は、前記シボ加工面において前記構造体と溶着されることを要旨とする。
【０００８】
鏡面処理された面やリブの頂点で構成される面において構造体と多孔質シート部材とを溶着させる場合、これら両者を加圧・加熱する溶着治具と溶着させる面全体とが接触していなければ、溶着ムラが生じるため、多孔質シート部材で孔部を塞ぐことがむずかしい。すなわち、溶着治具に対して構造体を精度良く配置しなければ構造体と多孔質シート部材との適切な溶着が得られない。
【０００９】
その点、この構成によれば、構造体は、シボ加工面を有し、当該シボ加工面において多孔質シート部材と溶着される。シボ加工面は、シボと呼ばれる細かい凹凸により構成されるため、孔部の周囲を囲うようにシボ加工面を構成する一部のシボと溶着治具との接触が得やすい。したがって、上記例のような従来と比較して、溶着治具に対する構造体の配置精度が緩和されるので、適切な溶着が得られやすい。
【００１０】
また、この構成の構造体は、溶着開始時、多孔質シート部材を介在した状態でシボの一つ一つと溶着治具とが接触する。すなわち、従来と比較して、溶着治具と構造体とが接触する面積が少なく、溶着治具からの熱がシボに集中する。このため、従来よりも低い温度での構造体と多孔質シート部材との溶着が可能である。これにより、熱による多孔質シート部材への影響が抑制される。
【００１１】
上記構成において、前記シボ加工面は、前記多孔質シート部材と溶着される溶着実施面と、前記溶着実施面の内側に連続する非溶着面とを有することが好ましい。
この構成によれば、構造体と多孔質シート部材とが溶着される際に発生するバリの進行が非溶着面によって抑制される。これにより、バリが孔部へ進入して、孔部の内径が狭くなったり孔部が塞がれたりすることが抑制される。
【００１２】
上記課題を解決するために、セレクトレバーの操作に連動して接点が切り替わるスイッチ機構を収容する収容部及び当該収容部と外部とを繋ぐ呼吸孔を有するハウジングと、前記呼吸孔を覆う多孔質シート部材とを有し、これら前記ハウジングと前記多孔質シート部材とが溶着されることにより、前記呼吸孔が塞がれるニュートラルスタートスイッチにおいて、前記ハウジングは、前記呼吸孔を囲むシボ加工面を有し、前記多孔質シート部材は、前記シボ加工面において前記ハウジングと溶着されることを要旨とする。
【００１３】
この構成によれば、ハウジングと多孔質シート部材との適切な溶着が得られやすい。また、熱による多孔質シート部材への影響も抑制される。
【発明の効果】
【００１４】
本発明の溶着構造体及びニュートラルスタートスイッチは、適切な溶着が得られやすいという効果を有する。
【図面の簡単な説明】
【００１５】
【図１】ニュートラルスタートスイッチの平面図。
【図２】（ａ）はＧＴフィルム溶着前の呼吸部を示す上面図、（ｂ）は（ａ）における断面指示線Ａ−Ａにおける断面図、（ｃ）は（ｂ）の一部拡大図。
【図３】（ａ）はＧＴフィルム溶着後の呼吸部を示す上面図、（ｂ）は（ａ）における断面指示線Ａ−Ａにおける断面図、（ｃ）は（ｂ）の一部拡大図。
【図４】溶着時に発生するバリを示す写真。
【発明を実施するための形態】
【００１６】
以下、本発明における溶着構造を具体化したニュートラルスタートスイッチの一実施形態について図面に従って説明する。
図１に示すように、ニュートラルスタートスイッチ１は、電気絶縁性を有する熱可塑性樹脂材料からなるハウジング２を有する。ハウジング２は扇形且つ柱状に形成されている。ハウジング２において、扇の要にあたる部分には、ユーザによって操作される図示しないセレクトレバーに連動して回転するマニュアルシャフト４が、図示しないオイルシールを介して挿嵌されている。マニュアルシャフト４は、ハウジング２に対して相対的に回動可能とされている。このマニュアルシャフト４は、図示しないオートマチックトランスミッション（変速機）に接続されている。マニュアルシャフト４の回転によって、ミッションのギアの組み合わせが切り替わる。なお、ハウジング２が構造体に相当する。
【００１７】
図２（ｂ）及び図３（ｂ）に示すように、ハウジング２の内部には収容部５が形成されている。収容部５には、先のマニュアルシャフト４が回転することにより接点が切り替わる図示しないスイッチ機構が設けられている。スイッチ機構は、マニュアルシャフト４に連動して回転する可動接点、及び基板に設けられた固定接点を有する。
【００１８】
図１に示すように、ハウジング２において、扇沿における中央部分、すなわち、マニュアルシャフト４を基準とすると１２時の位置には、矩形状のコネクタソケット６が設けられている。このコネクタソケット６は、先の基板と接続されている。コネクタソケット６は、図示しないケーブルを介して、図示しない車両のメータの表示を切り換える制御部と接続されている。
【００１９】
ユーザがセレクトレバーを操作すると、マニュアルシャフト４は回転する。これにより、オートマチックトランスミッションのギアの組み合わせが切り替わるとともに、スイッチ機構における接点が切り替わる。基板は、このスイッチ機構の接点に対応した電気信号を生成する。そして、この電気信号は、コネクタソケット６を介して制御部に送られる。制御部は、メータを通じてセレクトレバーの操作位置、すなわち、ミッションの選択情報をユーザに報知する。
【００２０】
さて、図１に示すように、ハウジング２の扇面には、呼吸部７が設けられている。呼吸部７は、マニュアルシャフト４を基準とすると１０時の位置に設けられている。図２（ｂ）及び図３（ｂ）に示すように、呼吸部７は、ハウジング２と一体形成された台部１０と、当該台部１０を覆うキャップ２０（図１参照）と、ゴアテックスフィルム（以下、ＧＴフィルム）３０とを有する。
【００２１】
図２（ａ）〜（ｃ）及び図３（ａ）〜（ｃ）の各図に示すように、台部１０は、円筒部１１と、円筒部１１の先端部に凹設された取付部１２とから構成される。円筒部１１の内径部分は、収容部５と取付部１２とを繋ぐ呼吸孔１３とされている。なお、呼吸孔１３が孔部に相当する。
【００２２】
取付部１２は、円環状とされている。取付部１２の底面は、シボ加工されて多数の凹凸（シボ）が形成されたシボ加工面１４とされている。このシボ加工面１４を形成する一つ一つのシボの高さや隣り合うシボ同士の間隔は、不均一とされていることが望ましい。なお、シボ加工面１４は、ＧＴフィルム３０に溶着される溶着実施面１５と、当該溶着実施面１５の内側に連続する非溶着面１６とから構成される。これら溶着実施面１５と非溶着面１６との間には、両者を明確に区別する物理的な構成はない。
【００２３】
ＧＴフィルム３０は、気体のみを通し、液体・粉塵等は透過させない性質を有する多孔質シート部材である。ＧＴフィルム３０は、先端部が円筒状とされた溶着治具８により、シボ加工面１４に加圧・加熱される。当該加圧・加熱により、溶かされた溶着実施面１５（取付部１２）の樹脂材がＧＴフィルム３０の孔に進入し、これが固化することにより、ＧＴフィルム３０と取付部１２（ハウジング２）とが溶着される。
【００２４】
次に、ＧＴフィルム３０の溶着にかかる作用について説明する。
図３（ｂ）に示すように、ＧＴフィルム３０は、先端部が円筒状とされた溶着治具８により、シボ加工面１４（溶着実施面１５）に加圧・加熱される。これにより、シボ加工面１４（溶着実施面１５）において、ハウジング２とＧＴフィルム３０とが溶着される。この際、シボ加工面１４は、シボと呼ばれる細かい凹凸により構成されるため、呼吸孔１３の周囲を囲うようにシボ加工面１４を構成する一部のシボと溶着治具８との接触が得やすい。
【００２５】
また、本例では、溶着実施面１５の内側に非溶着面１６が設けられている。このため、図４に示すように、ハウジング２とＧＴフィルム３０との溶着に際し発生するバリ４０の内側への進行が非溶着面１６を構成する一つ一つのシボにより妨げられる。
【００２６】
以上詳述したように、本実施形態によれば、以下に示す効果が得られる。
（１）ハウジング２にＧＴフィルム３０が溶着されるシボ加工面１４を設けた。シボ加工面１４は、呼吸孔１３の周囲を覆う。シボ加工面１４は、シボと呼ばれる細かい凹凸により構成されるため、呼吸孔１３の周囲を囲うようにシボ加工面１４を構成する一部のシボと溶着治具８との接触が得やすい。これにより、ハウジング２とＧＴフィルム３０との適切な溶着が得られる。また、当該溶着により、ニュートラルスタートスイッチ１は、呼吸孔１３を通じて収容部５への液体・粉塵等の進入抑制と、当該呼吸孔１３を通じての呼吸が得られる。
【００２７】
（２）また、溶着治具８とハウジング２とが接触する面積が少ないので、熱がシボに集中する。このため、より低い温度でのハウジング２とＧＴフィルム３０とを溶着させることができる。これにより、熱によるＧＴフィルム３０への影響が抑制される。
【００２８】
（３）シボ加工面１４は、ＧＴフィルム３０が溶着される溶着実施面１５とその内側の非溶着面１６とにより構成される。このため、ハウジング２とＧＴフィルム３０との溶着に際し発生するバリの内側への進行が非溶着面１６を構成する一つ一つのシボにより妨げられる。これにより、バリが呼吸孔１３へ進入して、当該呼吸孔１３の内径が狭くなったり呼吸孔１３が塞がれたりすることが抑制される。
【００２９】
なお、上記実施形態は、以下のように変更してもよい。
・上記実施形態において、非溶着面１６を省略してもよい。この場合、シボ加工面１４全体が溶着実施面１５となる。このように構成した場合でも、上記実施形態の（１）及び（２）の効果を得ることができる。
【００３０】
・上記実施形態において、シボ加工面１４の形成方法は問わない。すなわち、シボ加工面１４は、型抜きされたハウジング２にサンドブラストや鏡面仕上げにならない研磨処理等の物理処理によって形成してもよい。また、エッチング等の化学処理した金型を使用して型抜きすることにより、シボ加工面１４を形成してもよい。
【００３１】
・上記実施形態において、キャップ２０を省略してもよい。
・上記実施形態では、多孔質シート部材としてＧＴフィルム３０について説明したが、気体のみを通し、液体・粉塵等は透過させない性質を有する多孔質シート部材であればよい。
【００３２】
・上記実施形態では、溶着品としてニュートラルスタートスイッチ１について説明したが、他のものにも適用できる。
【符号の説明】
【００３３】
１…ニュートラルスタートスイッチ、２…ハウジング、４…マニュアルシャフト、５…収容部、６…コネクタソケット、７…呼吸部、８…溶着治具、１０…台部、１１…円筒部、１２…取付部、１３…呼吸孔、１４…シボ加工面、１５…溶着実施面、１６…非溶着面、２０…キャップ、３０…ゴアテックスフィルム、４０…バリ。
【図１】
2016203509.tif 000003
【図２】
2016203509.tif 000004
【図３】
2016203509.tif 000005
【図４】
2016203509.tif 000006